(57)【要約】【課題】  建物のベランダ鉄柵の撤去などの作業時に、建物全体に足場や養生ネットを設けることなく、極めて簡単に組立て可能で、作業期間やコストの増大を抑えることが可能な落下防止柵を得る。【解決手段】  伸縮自在な折り畳み式柵１を、フレーム枠２に取り付けるが、このとき、垂直面に対して所定角傾斜して取り付ける。このフレーム枠２は、ローラー３０，３１により、ベランダのコンクリート部分１００に水平方向に取り付けられたレール５と協動して、水平方向にスライド可能とする。よって、建物の同一階のベランダ鉄柵の作業は、この一個の落下防止柵構造（１，２）を用いるのみで可能となる。【選択図】      図１                                                  
2005344370.tif 000002
【特許請求の範囲】
【請求項１】
建物のベランダの金属製手摺部分の工事の際に用いる落下防止柵構造であって、
前記手摺部分の幅に対応可能なように伸縮自在に構成された落下防止柵と、
前記手摺部分の幅に対応して伸縮された前記落下防止柵の両端部において、前記落下防止柵を支持するフレーム枠と、
前記フレーム枠を前記手摺部分に平行な面上で摺動自在に支持する摺動支持部材とを含み、
前記落下防止柵を、前記手摺部分に対向するように摺動可能としたことを特徴とする落下防止柵構造。
【請求項２】
前記フレーム枠は、前記落下防止柵の伸縮に対応して伸縮自在に構成されていることを特徴とする請求項１記載の落下防止柵構造。
【請求項３】
前記落下防止柵は、その下端部が上端部よりも前記建物の躯体に接近するように、前記フレーム枠の垂直軸に対して所定角度傾斜していることを特徴とする請求項１または２記載の落下防止柵構造。
【請求項４】
前記傾斜の角度は調整自在であることを特徴とする請求項３記載の落下防止柵構造。
【請求項５】
前記摺動支持部材は、前記建物の躯体に固定されたレールと、前記フレーム枠に取付けられ前記レールに嵌合して回転するローラーとを有することを特徴とする請求項１〜４いずれか記載の落下防止柵構造。
【発明の詳細な説明】
【技術分野】
【０００１】
本発明は落下防止柵構造に関し、特に建物のベランダの金属製手摺部分の工事の際に用いる落下防止柵構造に関するものである。
【背景技術】
【０００２】
マンションなどの建物のベランダ部分には、手摺が設けられており、この手摺は、一般に、鉄製等の金属材により構成されている。そのために、塗装や取り替えなどの保守が必要である。この保守作業を行うには、建物の外周に足場を組んで、この足場を作業場として、作業員が保守を行うようになっている。
【特許文献１】実用新案公開平６−１６６２０号公報
【発明の開示】
【発明が解決しようとする課題】
【０００３】
建物の外周に足場を組むことは、極めて大がかりな作業であり、よって組立て作業期間が長くなり、またそれだけコストも増大する。更には、組立て作業時における安全管理も、充分に行う必要がある。
【０００４】
この様な欠点を解消すべく、足場を組まずに、ベランダ部分に保守作業員が入って、手摺部分の取り替えなどの保守作業を行うことが考えられる。この場合には、足場が不要であるから、足場の組立て作業の期間やコストが不要となるという利点はあるが、作業時における物の落下の可能性は否定できないために、落下防止策若しくは物が落下しても人畜に対して害を与えないような策を講じることが必要になる。
【０００５】
後者の策としては、建物全体に養生ネットを張りめぐらすなどの方法があるが、そのための作業期間やコストがかかるという欠点があり、また建物の外観上も好ましくなく、美観を損なうことにもなる。
【０００６】
本発明の目的は、建物全体に作業用足場や養生ネットを設ける必要がなく、極めて簡単に組立てることができ、作業期間やコストの増大をなくした落下防止柵構造を提供することである。
【０００７】
本発明の他の目的は、作業を行う手摺部分のみに対して落下防止柵を設けるようにして、同じ階の手摺部分の作業は、当該柵を水平方向に摺動（スライド）させるだけでできるようにした、作業性の向上を図った落下防止柵を提供することである。
【課題を解決するための手段】
【０００８】
本発明による落下防止柵構造は、建物のベランダの金属製手摺部分の工事の際に用いる落下防止柵構造であって、前記手摺部分の幅に対応可能なように伸縮自在に構成された落下防止柵と、前記手摺部分の幅に対応して伸縮された前記落下防止柵の両端部において、前記落下防止柵を支持するフレーム枠と、前記フレーム枠を前記手摺部分に平行な面上で摺動自在に支持する摺動支持部材とを含み、前記落下防止柵を、前記手摺部分に対向するように摺動可能としたことを特徴とする。
【０００９】
そして、前記フレーム枠は、前記落下防止柵の伸縮に対応して伸縮自在に構成されていることを特徴とし、前記落下防止柵は、その下端部が上端部よりも前記建物の躯体に接近するように、前記フレーム枠の垂直軸に対して所定角度傾斜していることを特徴とする。また、前記傾斜の角度は調整自在であることを特徴とする。更に、前記摺動支持部材は、前記建物の躯体に固定されたレールと、前記フレーム枠に取付けられ前記レールに嵌合して回転するローラーとを有することを特徴とする。
【発明の効果】
【００１０】
本発明によれば、建物全体に作業用足場や養生ネットなどを設置する必要がないので、作業期間の著しい短縮及びコストの大幅な削減が可能になり、また外観上の美観の維持も可能になるという効果がある。
【００１１】
また、本発明によれば、建物の同じ階の手摺部分の作業は、柵の部分を水平方向にスライドさせるだけでできるようにしたので、作業性が大幅に向上するという効果もある。
【００１２】
更に、本発明によれば、落下防止柵の幅を伸縮自在としたので、ベランダの手摺部分の種々の幅に対して柔軟に対応可能となるという効果もある。
【発明を実施するための最良の形態】
【００１３】
以下に、本発明の実施の形態について、図面を参照して詳細に説明する。図１は本発明の実施の形態に係る落下防止柵構造を、マンション等の建物のベランダ部分に取り付けた場合の図であり、（Ａ）はその上面図、（Ｂ）は側面図、（Ｃ）は正面図である。本落下防止柵構造は、基本的に、折り畳み式柵１と、この柵１を取り付けるためのフレーム枠２と、このフレーム枠２を、ベランダのコンクリート部分（建物の躯体）１００に対してスライド（摺動）自在に支持するためのレール５と、このレール５をコンクリート部分１００に固定するための固定金具４及びボルト６とからなっている。
【００１４】
折り畳み式柵１は、図２にその詳細を示す如く、互いに垂直方向に平行な一対の縦方向部材１１、１２と、この一対の縦方向部材間に、斜めに取り付けられた４本の斜め方向部材１３〜１６とからなっており、これ等部材１１〜１６は互いに支点１７ａ〜１７ｈにより回動自在に軸支されている。そのために、図２（Ａ）に示す伸びた状態と、（Ｂ）に示す縮んだ状態との間で、伸縮自在となっている。
【００１５】
すなわち、不使用時には、図２（Ｂ）に示す如く、縮めて折り畳んだ状態として、収納や運搬が便利なようになっている。使用時には、図２（Ａ）に示す如く、伸びた状態として、図１にも示している如く、落下防止柵として機能するものである。このとき、ベランダの手摺であるベランダ鉄柵１０１の幅は、建物によって種々存在することから、この種々の幅に対応できるように、伸縮自在としているのである。
【００１６】
フレーム枠２は、図３（Ａ）にその詳細な正面図を示す如く、互いに垂直方向に平行な一対の縦方向部材２１、２２と、縦方向部材２１に端部が固定されて水平方向に平行な一対の横方向部材２３、２４と、縦方向部材２２に端部が固定されて水平方向に平行な一対の横方向部材２５、２６とを有している。
【００１７】
このフレーム枠２に折り畳み式柵１が取り付けられるのであるが、先述した如く、柵１はベランダ鉄柵１０１である手摺の種々の幅に対応して伸縮自在であることから、このフレーム枠２もそれに伴って伸縮自在な構造（矢印ａ）となっている。すなわち、図３（Ａ）のＡ−Ａ線に沿う拡大断面図である図３（Ｃ）を参照すると、横方向部材２３と２５とは、互いに嵌合されて、スライド可能であり、所望の位置で、ボルト２７を用いて固定できるようになっている。横方向部材２４と２６とについても同様である。
【００１８】
図３（Ｂ）を参照すると、フレーム枠２の側面図であり、縦方向部材２１には、建物の躯体であるコンクリート部分１００と対向する面の下端部分に、ローラー３１が取り付けられており、このローラー３１はコンクリート部分１００に対して接触するようになっている。また、縦方向部材２１には、建物の躯体に取り付けられているレール５に嵌合するローラー３０が設けられている。このローラー３０とレール５との関係を図４に示している。なお、他方の縦方向部材２２についても同一構造であることは勿論である。
【００１９】
次に、上述した折り畳み式柵１をフレーム枠２に取り付ける方法について説明する。先ず、フレーム枠２の幅を、作業対象のベランダ鉄柵１０１の幅よりやや大に設定して、その後、折り畳み式柵１を、フレーム枠２の幅と同じ幅になるよう伸張して、図１（Ｂ）に示すように、柵１がベランダ鉄柵１０１の面（すなわち、垂直面）に対して傾斜するようにして、フレーム枠２の縦方向部材２１、２２に設けられている支点となる孔１０に、ボルトとナットを用いて両者を止める。この状態では、柵１は、フレーム枠２に対して、この支点１０を中心に回動自在に軸支されていることになる。
【００２０】
この状態において、柵１の下端部分が建物の躯体に接触するように傾けて、図５に示す如く、取付金具９を用いてボルト７、８により、柵１の縦方向部材１１、１２とフレーム枠２の縦方向部材２１、２２とを固定することになる。この取付金具９の横長孔の途中で、ボルト７や８を固定することにより、枠１の垂直面に対する傾斜角が自由に選定できる。
【００２１】
この状態で、フレーム枠２のローラー３０を、予め建物のコンクリート部分１００に取り付けられているレール５に、レール５の端部より嵌め込んで、作業対象の鉄柵１０１へ移動させる。これにより、鉄柵１０１の取り外し作業時などにおける落下防止となり得る。なお、落下防止をより確実とするために、図６に示すような専用カバーシート２００を準備しておき、これを柵１やフレーム枠２を被うようにすればよい。この専用カバーシート２００としては、例えば、石綿シートなどを用いることができる。
【００２２】
同一階の他のベランダの鉄柵の作業を行う場合には、この落下防止構造をレール５に沿ってスライドさせるだけで、簡単に、作業対象の鉄柵部分へ移動させることができ、作業性が著しく向上する。
【００２３】
なお、上述した組立て手順については、これに限定されることなく、組立て作業性を考慮して適宜変更され得ることは明らかである。また、図２に示した折り畳み式柵１の構造もこれに限定されるものではない。例えば、伸長時の長さ（幅）をより大にするには、斜め方向部材の本数を、それに伴って増加するようにすれば良いものである。
【図面の簡単な説明】
【００２４】
【図１】本発明の実施の形態を示す図であり、（Ａ）は上面図、（Ｂ）は側面図、（Ｃ）は正面図である。
【図２】本発明の実施の形態における折り畳み式柵１の伸長時の正面図、（Ｂ）はその縮小時の正面図である。
【図３】本発明の実施の形態におけるフレーム枠２の正面図、（Ｂ）はその側面図、（Ｃ）は（Ａ）のＡ−Ａ線に沿う拡大断面図である。
【図４】ローラー３０とレール５との関係を示す図である。
【図５】折り畳み式柵１とフレーム枠２との取り付け関係を示す図である。
【図６】本発明の実施の形態に用いる専用カバーシートの例を示す斜視図である。
【符号の説明】
【００２５】
１  折り畳み式柵
２  フレーム枠
４  固定金具
５  レール
６〜８，２７  ボルト
９  取付金具
１０，１７ａ〜１７ｈ  支点
１１，１２，２１，２２  縦方向部材
１３〜１６  斜め方向部材
２３〜２６  横方向部材
３０，３１  ローラー
１００  ベランダのコンクリート部分
１０１  ベランダ鉄柵（手摺）
２００  専用カバーシート
【図１】
2005344370.tif 000003
【図２】
2005344370.tif 000004
【図３】
2005344370.tif 000005
【図４】
2005344370.tif 000006
【図５】
2005344370.tif 000007
【図６】
2005344370.tif 000008